(57)【要約】      （修正有）【課題】角部を有する目地部に設置された場合であっても、カバープレートの底面を支持できるとともに、地震による揺れ動きを吸収できるカバープレート支持装置を提供する。【解決手段】一対の側板１０と、側板１０に回転可能に軸支され、少なくともその外周面の一部が側板１０よりも上方又は下方のいずれかに位置するように設けられた複数個のローラー１１とからなる支持具８を用いてカバープレートを支持するカバープレート支持装置１であって、パイプ状の第１バー部材６と、第１バー部材６に一端部側がスライド移動可能に挿入される第２バー部材７とを備え、支持具８は、長手方向に所定間隔を有して設けられ、第２バー部材７が第１バー部材６の長手方向に沿ってスライド移動する際に、少なくとも一部の支持具同士が接近又は離間し、第２バー部材７が復帰した場合には、支持具８が位置調節手段によって元の位置に復帰する。【選択図】図１
2019218709.tif 000002
【特許請求の範囲】
【請求項１】
一対の側板と、該側板に回転可能に軸支され、少なくともその外周面の一部が前記側板よりも上方又は下方のいずれかに位置するように設けられた複数個のローラーとからなる複数個の支持具を用いてカバープレートを支持するカバープレート支持装置であって、
前記カバープレート支持装置は、パイプ状の第１バー部材と、該第１バー部材に一端部側がスライド移動可能に挿入される第２バー部材とを備え、前記支持具は、該第１バー部材及び第２バー部材の長手方向に所定間隔を有して設けられ、
前記第２バー部材が前記第１バー部材の長手方向に沿ってスライド移動する際に、前記複数個の支持具のうち、少なくとも一部の支持具同士が接近又は離間し、一方、前記第２バー部材が復帰した場合には、前記支持具が位置調節手段によって元の位置に復帰するカバープレート支持装置。
【請求項２】
前記複数個の支持具の一部は、前記第１バー部材に固定状態で設けられていることを特徴とする請求項１に記載のカバープレート支持装置。
【請求項３】
角部を有する目地部を介して設けられた一方の躯体及び他方の躯体と、前記一方の躯体に設けられた第１の目地プレート支持部と、前記他方の躯体に設けられた第２の目地プレート支持部と、前記第１の目地プレート支持部に一端部が支持されるとともに、前記第２の目地プレート支持部に他端部がスライド移動可能に支持された目地プレートと、一端部が他方の躯体に支持され、他端部が前記目地プレートの上面に支持されるとともに、前記第２の目地プレート支持部を覆うカバープレートと、該カバープレートの底面を支持する複数個のカバープレート支持装置から構成され、
前記支持具は、一対の側板と、該側板に回転可能に軸支され、少なくともその外周面の一部が前記側板よりも上方又は下方のいずれかに位置するように設けられた複数個のローラーとからなり、
カバープレート支持装置は、パイプ状の第１バー部材と、該第１バー部材に一端部側がスライド移動可能に挿入される第２バー部材とを備え、前記支持具は、該第１バー部材及び第２バー部材の長手方向に所定間隔を有して設けられ、
地震によって一方と他方の躯体が揺れ動き、前記第２バー部材が前記第１バー部材の長手方向に沿ってスライド移動する際に、前記複数個の支持具のうち少なくとも一部の前記支持具同士が接近又は離間し、通常時の位置に前記第２バー部材が復帰した場合には、前記支持具が位置調節手段によって元の位置に復帰する床用目地装置。
【請求項４】
前記複数個の支持具の一部は、前記第１バー部材に固定状態で設けられていることを特徴とする請求項３に記載の床用目地装置。
【発明の詳細な説明】
【技術分野】
【０００１】
本発明は左右の躯体間の目地部を塞ぐ床用目地装置及びこの床用目地装置に用いられ、カバープレートの底面を支持するカバープレート支持装置に関する。
【背景技術】
【０００２】
従来、この種の床用目地装置としては、目地部を目地プレートで塞ぐとともに、他方の躯体に設けられたカバープレートによって目地プレートがスライド移動する凹所を覆う床用目地装置が知られている（特許文献１参照）。この床用目地装置では、カバープレート底面に目地プレートが接していない（目地プレートに支持されていない）部位のたわみ防止のためにカバープレート支持部材を備えている。
【０００３】
しかしながら、このような床用目地装置に用いられるカバープレート支持装置は、特許文献１のように目地部が前後方向にのみ存在するような躯体間に用いられる場合には、特に問題なく作用するものの、例えば目地部がアングル状に屈曲している場合等は、カバープレート支持装置が躯体に形成された目地プレート支持部の壁面等に衝突することを避けるため、カバープレートの角部を支持することができないという欠点があった。
【０００４】
付言すると、例えば、屈曲した角部を有する目地部を目地プレート及びカバープレートで塞ぐ場合、カバープレートの底面全体を支持するために左右方向及び前後方向に延在するようにカバープレート支持装置を設けると、地震によって目地部が同時に狭くなるように揺れ動いた場合、前記特許文献１のようなカバープレート支持装置を用いていると、前後方向又は左右方向のカバープレート支持装置が角部の壁面に衝突してしまい、カバープレート支持装置等が破損してしまうという欠点があった。
【先行技術文献】
【特許文献】
【０００５】
【特許文献１】特許第６２７７２１８号公報
【発明の概要】
【発明が解決しようとする課題】
【０００６】
本発明は以上のような従来の欠点に鑑み、角部を有する目地部に設置された場合であっても、カバープレートの底面を確実に支持できるとともに、地震による揺れ動きを吸収できるカバープレート支持装置及びこのカバープレート支持装置を用いた床用目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の請求項１に記載のカバープレート支持装置は、一対の側板と、該側板に回転可能に軸支され、少なくともその外周面の一部が前記側板よりも上方又は下方のいずれかに位置するように設けられた複数個のローラーとからなる複数個の支持具を用いてカバープレートを支持するカバープレート支持装置であって、前記カバープレート支持装置は、パイプ状の第１バー部材と、該第１バー部材に一端部側がスライド移動可能に挿入される第２バー部材とを備え、前記支持具は、該第１バー部材及び第２バー部材の長手方向に所定間隔を有して設けられ、前記第２バー部材が前記第１バー部材の長手方向に沿ってスライド移動する際に、前記複数個の支持具のうち、少なくとも一部の支持具同士が接近又は離間し、一方、前記第２バー部材が復帰した場合には、前記支持具が位置調節手段によって元の位置に復帰することを特徴とする。
【０００９】
請求項２に記載のカバープレート支持装置の前記複数個の支持具の一部は、前記第１バー部材に固定状態で設けられていることを特徴とする。
【００１０】
請求項３に記載の床用目地装置は、角部を有する目地部を介して設けられた一方の躯体及び他方の躯体と、前記一方の躯体に設けられた第１の目地プレート支持部と、前記他方の躯体に設けられた第２の目地プレート支持部と、前記第１の目地プレート支持部に一端部が支持されるとともに、前記第２の目地プレート支持部に他端部がスライド移動可能に支持された目地プレートと、一端部が他方の躯体に支持され、他端部が前記目地プレートの上面に支持されるとともに、前記第２の目地プレート支持部を覆うカバープレートと、該カバープレートの底面を支持する複数個のカバープレート支持装置から構成され、前記支持具は、一対の側板と、該側板に回転可能に軸支され、少なくともその外周面の一部が前記側板よりも上方又は下方のいずれかに位置するように設けられた複数個のローラーとからなり、カバープレート支持装置は、パイプ状の第１バー部材と、該第１バー部材に一端部側がスライド移動可能に挿入される第２バー部材とを備え、前記支持具は、該第１バー部材及び第２バー部材の長手方向に所定間隔を有して設けられ、地震によって一方と他方の躯体が揺れ動き、前記第２バー部材が前記第１バー部材の長手方向に沿ってスライド移動する際に、前記複数個の支持具のうち少なくとも一部の前記支持具同士が接近又は離間し、通常時の位置に前記第２バー部材が復帰した場合には、前記支持具が位置調節手段によって元の位置に復帰することを特徴とする。
【００１１】
請求項４に記載の床用目地装置の前記複数個の支持具の一部は、前記第１バー部材に固定状態で設けられていることを特徴とする。
【発明の効果】
【００１２】
以上の説明から明らかなように、本発明にあっては次に列挙する効果が得られる。
（１）請求項１及び請求項３に記載された各発明においては、第１バー部材に第２のバー部材が挿入され、バー部材全体として伸縮するため、地震等により設置場所の壁面等が接近又は離間するような場所であっても設置することができる。
（２）地震等により設置場所の壁面等が接近又は離間するような場所であっても設置することができるので、例えば角部を有する目地部に用いられるカバープレートの全体を支持することができる。
（３）請求項２及び請求項４に記載された各発明においても前記（１）、（２）と同様な効果が得られる。
【図面の簡単な説明】
【００１３】
図１乃至図１３は本発明の第１の実施形態を示す説明図である。
図１４乃至図１７は本発明の第２の実施形態を示す説明図である。
図１８乃至図２０は本発明の第３の実施形態を示す説明図である。
【図１】第１の実施形態のカバープレート支持装置の平面図。
【図２】カバープレート支持装置の斜視図。
【図３】図１の３−３線に沿う断面図。
【図４】カバープレート支持装置の動作を示す説明図。
【図５】第１の実施形態の床用目地装置の平面図。
【図６】図５の６−６線に沿う断面図。
【図７】図５の７−７線に沿う断面図。
【図８】地震で前後方向の目地部が狭くなった状態の動作説明図。
【図９】地震で前後方向の目地部が広くなった状態の動作説明図。
【図１０】地震で左右方向の目地部が狭くなった状態の動作説明図。
【図１１】地震で左右方向の目地部が広くなった状態の動作説明図。
【図１２】地震で前後方向及び左右方向の目地部が狭くなった状態の動作説明図。
【図１３】地震で前後方向及び左右方向の目地部が広くなった状態の動作説明図。
【図１４】第２の実施形態のカバープレート支持装置の斜視図。
【図１５】図１４の１５−１５線に沿う断面図。
【図１６】第２の実施形態の床用目地装置の平面図。
【図１７】図１６の１７−１７線に沿う断面図。
【図１８】第３の実施形態のカバープレート支持装置の斜視図。
【図１９】カバープレート支持装置の動作を示す説明図。
【図２０】第３の実施形態の床用目地装置の平面図。
【発明を実施するための形態】
【００１４】
以下、図面に示す本発明を実施するための形態により、本発明を詳細に説明する。なお、本明細書では図５を基準として左右方向、前（図面上方）後（図面下方）方向という。また、図６を基準として上（図面上方）下（図面下方）方向という。
【００１５】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１６】
図１乃至図１３に示す本発明を実施するための第１の形態において、１は目地部２を介して設けられた一方と他方の左右の躯体３、４の間に設けられる床用目地装置５に用いられるカバープレート支持装置（以下、「支持装置」という）である。
【００１７】
この支持装置１は、図１乃至図３に示すように、例えばパイプ状で所定長の第１バー部材６と、該第１バー部材６の長手方向に一端部側がスライド移動可能に挿入される所定長の第２バー部材７と、該第１バー部６材及び第２バー部材７の長手方向に所定間隔を有して設けられた複数個の支持具８とで構成されている。
【００１８】
第１バー部材６は、本実施形態では、円筒状に形成されており、金属製の部材である。この第１バー部材６の内部には、第２バー部材７の一端部側がスライド移動可能に挿入される。
【００１９】
第２バー部材７は、本実施形態では、金属製で円柱状の部材であり、第１バー部材６に遊挿状態で挿入される。なお、第１バー部材６と第２バー部材７は、本実施形態では、外形の断面形状がともに円形に形成されているが、遊挿状態で挿入できるものであれば、例えばどちらか一方を円形とし、他方を多角形状にするなど、異なる断面形状のものを組み合わせてもよい。
【００２０】
支持具８は、本実施形態では、略中央部に透孔９を有する一対の側板１０と、該側板１０に回転可能に軸支され、少なくともその外周面の一部が前記側板１０よりも上方又は下方へ位置するように設けられた複数個、本実施形態では、３個のローラー１１とで構成されている。
【００２１】
側板１０は、本実施形態では、角丸方形状の金属板で、側板１０の略中央部に形成された透孔９は、第１バー部材６又は第２バー部材７が貫通できる程度の大きさの外径に形成されている。このように側板を形成することにより、強度が高くなるとともに、支持具８が転倒することを防止できる。
なお、側板１０の形状は、逆Ｔ字状、方形状、多角形状、円形状等、様々な形状に形成してもよい。
【００２２】
この一対の側板１０には、例えば図３に示すように、３つの軸１２が固定されており、この軸１２にローラー１１がそれぞれ軸止されている。ローラー１１は、本実施形態では、側板１０の下端部側からその外周面の一部が突出するように２つ、上端部からその外周面の一部が突出するように１つ設けられている。
【００２３】
このローラー１１は、例えば、側板１０の下端部側からその外周面の一部が突出するように１つ、上端部からその外周面の一部が突出するように２つ設けてもよいし、側板１０の下端部側からその外周面の一部が突出するように２つ以上、上端部からその外周面の一部が突出するように２つ以上設けてもよい。要するに取付態様は問わない。
【００２４】
この支持具８は、透孔９に第１バー部材６又は第２バー部材７が貫通状態となるように設けられており、複数個の支持具がそれぞれ所定間隔を有するように設けられている。
本実施形態では、通常時（図１や図５の状態）において第１バー部材６の外周部に位置する支持具８は、第１バー部材６の外周面に溶接、接着、係止手段等により固定的又は着脱可能に取り付けられおり、便宜上、固定側支持具８ａとして説明する。
【００２５】
なお、透孔９にパイプ状の保護具等（図示せず）を設けて、この保護具等と第１バー部材６の外周面を溶接等により固定してもよいし、側板１０の透孔９の周縁部と第１バー部材６の外周面を溶接等により固定してもよい。
【００２６】
一方、通常時において第２バー部材の外周面に位置する支持具８は、第１バー部材６及び第２バー部材７に対して左右方向にスライド移動可能に設けられており、便宜上、可動側支持具８ｂとして説明する。
【００２７】
可動側支持具８ｂは、それぞれの可動側支持具８ｂが通常時において所定間隔を保っていられるように位置調節手段１３を備えている。この位置調節手段１３は、本実施形態ではコイルばねで、このコイルばね１３の弾性力により可動側支持具８ｂを所定の位置に位置させる。本実施形態では、コイルばね１３が第２バー部材７と略同軸となるように設けられているが、例えば隣り合う可動側支持具８ｂの側板１０間にそれぞれ単数又は複数取り付けてもよい。
【００２８】
なお、可動側支持具８ｂの透孔９にパイプ状の保護具等（図示せず）を設けてもよく、位置調節手段１３としては、弾性力又は弾発力により可動側支持具８ｂを所定の位置に位置させる部材等が考えられる。
【００２９】
第２バー部材７の端部に位置する支持具８は、第２バー部材７に固定されており、便宜上、端部支持具８ｃとして説明する。
【００３０】
また、固定側支持具８ａと隣り合う可動側支持具８ｂには、その隣り合う固定側支持具８ａと連結するように位置調節手段１３を設けてもよい。
このような状態で第２バー部材７が第１バー部材６の内部に入り込み、第１バー部材６及び第２バー部材７全体として縮む方向に動いた場合には、可動側支持具８ｂ同士が位置調節手段１３の付勢力に抗して接近し、第１バー部材６及び第２バー部材７の動きに追従する。
【００３１】
一方、第１バー部材６及び第２バー部材７が全体として伸長する方向に動いた場合には、可動側支持具８ｂ同士が位置調節手段１３の付勢力に抗して離間し、第１バー部材６及び第２バー部材７の動きに追従する。
【００３２】
このような支持装置１が用いられる床用目地装置５は、主に前後方向の目地部２ａと左右方向の目地部２ｂが角部（隅部）を介して連続するような目地部２に設けられ、一方の躯体３に設けられた第１の目地プレート支持部１４と、前記他方の躯体に設けられた第２の目地プレート支持部１５と、前記第１の目地プレート支持部１４に一端部が支持されるとともに、前記第２の目地プレート支持部１５に他端部がスライド移動可能に支持された目地プレート１６と、一端部が他方の躯体４に支持され、他端部が前記目地プレート１６の上面に支持されるとともに、前記第２の目地プレート支持部１５を覆うカバープレート１７と、該カバープレート１７の底面を支持する複数個の支持装置とで構成される。
【００３３】
第１の目地プレート支持部１４は、本実施形態では、一方の躯体３の目地部側壁面の上端部付近に形成されており、一方の躯体３の一部を切り欠いて形成されている。
この第１の目地プレート支持部１４は、一方の躯体３に切り欠き等の加工を行わず、例えばアングル状の金具等を一方の躯体３の目地部側壁面の上端部付近に固定し、これを第１の目地プレート支持部１４としてもよい。
【００３４】
第２の目地プレート支持部１５は、第１の目地プレート支持部１４に対向するように他方の躯体４に凹所状に形成されており、この第２の目地プレート支持部１５で目地プレートの他端部をスライド移動可能に支持している。
【００３５】
目地プレート１６は、本実施形態では、板状の部材であり、一端部側が前記第１の目地プレート支持部１４にピン（図示せず）等を介して取り付けられて支持され、他端部の底面に複数個設けられたローラー等の滑動部材１８を介して第２の目地プレート支持部１５に支持されている。
【００３６】
この目地プレート１６は、本実施形態のような板状の部材を用いてもよいし、浅皿状の目地プレート本体にモルタル等の充填部材を充填したものを用いてもよい。
【００３７】
カバープレート１７は、一端部が他方の躯体４の床面にビス等（図示せず）で固定され、他端部が目地プレート１６の上面に支持される板状の部材で、平面視において第２の目地プレート支持部１５と略同一形状となるように形成されている。
【００３８】
カバープレート１７の一端部は、本実施形態のように他方の躯体４の床面に直接取り付けてもよいし、取付金具等を介して取付けてもよい。
【００３９】
このカバープレート１７のうち、目地プレート１６に支持されていない部分に本発明の支持装置１が所定間隔を有して複数個設けられる。ところで、支持装置１は、一方の躯体３又は目地プレート１６と共動するように取り付けられている。
【００４０】
支持装置１同士の間隔を維持するために、例えばコイルばね等の伸縮可能な接続部材１９で支持装置１同士を接続する。また、目地プレート１６の他端部に隣接する支持装置１と目地プレート１６の他端部及び第２の目地プレート支持部１５の端部に隣接する支持装置１と第２の目地プレート支持部１５の間にも接続部材１９は設けられている。なお、この接続部材１９は、例えば、弾性部材や弾発性部材、又はこれに類するものである。
【００４１】
本実施形態では、本願発明の支持装置１を平面視において前後方向（前後方向の目地部２ａと平行状態）に延在するように配置し、左右方向には、公知のカバープレート支持装置２０（例えば特許文献１の支持装置）等を配置している。
【００４２】
この支持装置１は、本実施形態では、第２バー部材７の端部が、第２の目地プレート支持部１５の前後方向の端部に当接するように設けられ、公知のカバープレート支持装置２０は、第２の目地プレート支持部１５の角部に位置しないように配置される。
ところで、第２バー部材７の端部の支持具８（本実施形態では端部支持具８ｃ）は、第２の目地プレート支持部１５の前後方向の端部に略当接状態となるため、この端部支持具８ｃの第２の目地プレート支持部１５の前後方向の端部側の側板１０にローラー等の滑動部材１８を設けてもよい。
【００４３】
地震で左右の躯体３、４が左右方向に揺れ動き、左右方向の目地部２ｂが狭くなると、図８に示すように、目地プレート１６が第２の目地プレート支持部１５上を左右方向にスライド移動するとともに、支持装置１同士を接続している接続部材１９の付勢力に抗して支持装置１同士が近接し、その揺れ動きを吸収する。
【００４４】
地震で左右の躯体３、４が左右方向に揺れ動き、左右方向の目地部２ｂが広くなると、図９に示すように、目地プレート１６が第２の目地プレート支持部１５上を左右方向にスライド移動するとともに、支持装置１同士を接続している接続部材１９の付勢力に抗して支持装置１同士が離間し、その揺れ動きを吸収する。
【００４５】
地震で左右の躯体３、４が前後方向に揺れ動き、前後方向の目地部２ａが狭くなると、図１０に示すように、目地プレート１６が第２の目地プレート支持部１５上を左右方向にスライド移動するとともに、支持装置１の第２バー部材７の端部が第２の目地プレート支持部１５に押圧され、第２バー部材７が第１バー部材６に入り込み、位置調節手段１３の付勢力に抗して支持具８同士が近接し、その揺れ動きを吸収する。
なお、公知の支持装置２０は、公知の支持装置２０同士を接続している接続部材１９の付勢力に抗して公知の支持装置２０同士が近接し、その揺れ動きを吸収する。
【００４６】
地震で左右の躯体３、４が前後方向に揺れ動き、前後方向の目地部２ａが広くなると、図１１に示すように、目地プレート１６が第２の目地プレート支持部１５上を左右方向にスライド移動するとともに、支持装置１の第２バー部材７の端部が第２の目地プレート支持部１５に引っ張られ、第２バー部材７が第１バー部材６から脱落する方向にスライド移動し、位置調節手段１３の付勢力に抗して支持具８同士が離間し、その揺れ動きを吸収する。
なお、公知の支持装置２０は、公知の支持装置２０同士を接続している接続部材１９の付勢力に抗して公知の支持装置２０同士が離間し、その揺れ動きを吸収する。
【００４７】
地震で左右の躯体３、４が前後方向に揺れ動き、前後方向の目地部２ａが狭くなるとともに左右方向の目地部２ｂも狭くなる場合やと、図１２に示すように、目地プレート１６が第２の目地プレート支持部１５上を左右方向にスライド移動し、支持装置１及び公知の支持装置２０は、支持装置１、２０同士を接続している接続部材１９の付勢力に抗して公知の支持装置１、２０同士が近接するとともに、支持装置１の第２バー部材７の端部が第２の目地プレート支持部１５に押圧され、第２バー部材７が第１バー部材６に入り込み、位置調節手段１３の付勢力に抗して支持具８同士が近接し、その揺れ動きを吸収する。
【００４８】
地震で左右の躯体３、４が前後方向に揺れ動き、前後方向の目地部２ａが広くなるとともに左右方向の目地部２ｂも広くなると、図１３に示すように、目地プレート１６が第２の目地プレート支持部１５上を左右方向にスライド移動し、支持装置１及び公知の支持装置２０は、支持装置１、２０同士を接続している接続部材１９の付勢力に抗して公知の支持装置１、２０同士が離間するとともに、支持装置１の第２バー部材７の端部が第２の目地プレート支持部１５に引っ張られ、第２バー部材７が第１バー部材６から脱落する方向にスライド移動し、位置調節手段１３の付勢力に抗して支持具８同士が離間し、その揺れ動きを吸収する。
【００４９】
[発明を実施するための異なる形態]
次に、図１４乃至図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００５０】
図１４乃至図１７に示す本発明を実施するための第２の形態において、前記本発明を実施するための第１の形態と主に異なる点は、角パイプ状の第１バー部材６Ａ及び角柱状の第２バー部材７Ａを用いた点で、このような支持装置１Ａ及び床用目地装置５Ａにしても前記本発明を実施するための第１の形態と同様な作用効果が得られるとともに、前後方向の揺れ動きであっても吸収することができる。
なお、側板１０にも角孔状の透孔９Ａを形成しており、本実施形態では、位置調節手段１３を側板１０間に複数個設けている。
【００５１】
図１８乃至図２０に示す本発明を実施するための第３の形態において、前記本発明を実施するための第２の形態と主に異なる点は、すべての支持具８を可動側支持具８ｂにした点で、このような支持装置１Ｂ及び床用目地装置５Ｂにしても前記本発明を実施するための第１の形態と同様な作用効果が得られる。
なお、本発明の実施形態では、第１バー部材の一端部にのみ第２バー部材を挿入したものについて説明したが、例えば第１バー部材の両端部に、第２バー部材を挿入し、両端部が伸縮するように構成してもよい。
【００５２】
以上の通りであるから、本発明のカバープレート支持装置は、一対の側板と、該側板に回転可能に軸支され、少なくともその外周面の一部が前記側板よりも上方又は下方のいずれかに位置するように設けられた複数個のローラーとからなる複数個の支持具を用いてカバープレートを支持するカバープレート支持装置であって、前記カバープレート支持装置は、パイプ状の第１バー部材と、該第１バー部材に一端部側がスライド移動可能に挿入される第２バー部材とを備え、前記支持具は、該第１バー部材及び第２バー部材の長手方向に所定間隔を有して設けられ、前記第２バー部材が前記第１バー部材の長手方向に沿ってスライド移動する際に、前記複数個の支持具のうち、少なくとも一部の支持具同士が接近又は離間し、一方、前記第２バー部材が復帰した場合には、前記支持具が位置調節手段によって元の位置に復帰することを特徴とする。
【産業上の利用可能性】
【００５３】
本発明は床用目地装置や床用目地装置のカバープレートを支持するカバープレート支持装置を製造する産業で利用される。
【符号の説明】
【００５４】
１、１Ａ、１Ｂ：カバープレート支持装置、
２：目地部、                      ３：一方の躯体、
４：他方の躯体、                  ５、５Ａ、５Ｂ：床用目地装置、
６、６Ａ：第１バー部材、          ７、７Ａ：第２バー部材、
８：支持具、                      ９、９Ａ：透孔、
１０：側板、                      １１：ローラー、
１２：軸、                        １３：位置調節手段、
１４：第１の目地プレート支持部、  １５：第２の目地プレート支持部、
１６：目地プレート、              １７：カバープレート、
１８：滑動部材、                  １９：接続部材、
２０：公知のカバープレート支持装置。
【図１】
2019218709.tif 000003
【図２】
2019218709.tif 000004
【図３】
2019218709.tif 000005
【図４】
2019218709.tif 000006
【図５】
2019218709.tif 000007
【図６】
2019218709.tif 000008
【図７】
2019218709.tif 000009
【図８】
2019218709.tif 000010
【図９】
2019218709.tif 000011
【図１０】
2019218709.tif 000012
【図１１】
2019218709.tif 000013
【図１２】
2019218709.tif 000014
【図１３】
2019218709.tif 000015
【図１４】
2019218709.tif 000016
【図１５】
2019218709.tif 000017
【図１６】
2019218709.tif 000018
【図１７】
2019218709.tif 000019
【図１８】
2019218709.tif 000020
【図１９】
2019218709.tif 000021
【図２０】
2019218709.tif 000022